(57)【要約】【課題】  静止している視標板の視標に焦点を合わせる安易な訓練によって、バラツクことなく略均等に視力を回復させることができ、可動構造を省略した部品点数の少ない簡素化された構造の視力回復補助器具を提供する。【解決手段】  視力回復補助器具１をたとえば３枚の視標板２Ａ，２Ｂ，２Ｃに視標３Ａ，３Ｂ，３Ｃを設けることによって構成する。視標３Ａ，３Ｂ，３Ｃは、視標板２Ａ，２Ｂ，２Ｃを、遠近間隔Ｌ１，Ｌ２を隔てて垂直姿勢で立設したときに、視線Ｃ１上で互いに重なり合わないようにしてある。視力回復訓練者は、視線Ｃ１上で視標板２Ａの視標３Ａに焦点を合わせて視認したのち、視標板２Ｂの視標３Ｂに焦点を合わせて視認し、ついで視標板２Ｃの視標３Ｃに焦点を合わせて視認する状態を反復する。【選択図】        図１
2005081055.tif 000002
【特許請求の範囲】
【請求項１】
複数枚の視標板のそれぞれに、少なくとも一部が互いに重なり合わない視標が設けられているとともに、前記複数枚の視標板が光透過材によって構成されている、ことを特徴とする視力回復補助器具。
【請求項２】
光透過材からなる少なくとも１枚の視標板と、光不透過材からなる１枚の視標板とを備え、上記光透過材からなる視標板及び上記光不透過材からなる視標板のそれぞれには、少なくとも一部が互いに重なり合わない視標が設けられている、ことを特徴とする視力回復補助器具。
【請求項３】
前記視標板が把持部を備えている、請求項１又は２に記載の視力回復補助器具。
【請求項４】
前記視標板を立設または吊持するための支持具を備えている、請求項１又は２に記載の視力回復補助器具。
【請求項５】
光透過材からなる１枚の視標板に視標が設けられ、この視標板に把持部を設けた、ことを特徴とする視力回復補助器具。
【請求項６】
光透過材からなる１枚の視標板に視標が設けられ、この視標板を立設または吊持するための支持具を備えている、ことを特徴とする視力回復補助器具。
【発明の詳細な説明】
【技術分野】
【０００１】
本発明は、視力回復補助器具に関する。
【背景技術】
【０００２】
従来より、視力を回復させる技術として、たとえば、視力回復訓練器（特許文献１参照）や視力回復訓練装置（特許文献２参照）などが知られている。
【０００３】
前者の視力回復訓練器は、覗き窓が設けられたケースと、このケース内の前記覗き窓から所定距離離れた位置に配置した光源と、前記覗き窓から視認される光源の発光面積を調節して前記発光面積の大きい状態と小さい状態とを繰り返し現出させる視認発光面積調節手段とを備えている。
【０００４】
この視力回復訓練器によれば、覗き窓からケース内を覗いたときに視認される光源の発光面積が視認発光面積調節手段により調節されて、発光面積の大きい状態と小さい状態とが繰り返し現出される。これにより、訓練者は、発光面積が大くなると、光源が近くに在るものと錯覚し、発光面積が小さくなると、光源が遠くに在るものと錯覚して、前記訓練者の毛様体筋は、収縮・弛緩運動が反復され、視力を回復させることができるとされている。
【０００５】
一方、後者の視力回復訓練装置は、視線に沿って任意に設定した一定の距離間を往復運動させる手段を備えた標識と、この標識を明視するための照明手段とを備えている。
【０００６】
この視力回復訓練装置によれば、二点間で標識の往復運動を繰り返して行い、標識に設けた図形や模様が遠ざかるにつれて見え難くなったり、あるいは近付くにつれて見え難くなっても、訓練者は見え難くなった図形や模様を凝視して焦点を合わせようと努力することで、固定化している毛様体筋を収縮・弛緩させて、視力を回復させることができる。
【０００７】
【特許文献１】特開平４−３３６５６号公報
【特許文献２】特開昭５２−１３１６８８号公報
【発明の開示】
【発明が解決しようとする課題】
【０００８】
ところが、前者の視力回復訓練器は、絞り機構の拡縮によって発光面積を拡縮させることで、訓練者に光源までの距離が変化したように錯覚させて、訓練者の毛様体筋を収縮・弛緩させるとされている。しかし、発光面積を拡縮させても、この拡縮を視認して光源までの距離変化として錯覚する度合いは、訓練者の個人差によって著しく異なる。このため、訓練者の全てに均等な視力回復効果を期待するこことが困難で、視力回復効果にバラツキを生じる。しかも、可動構造の視認発光面積調節手段が必要であるため、部品点数が多く、構造が複雑になるなどの難点を有している。
【０００９】
一方、後者の視力回復訓練装置では、訓練者は、二点間で繰り返して行われる標識の往復運動に追従して、強制的に図形や模様を凝視して焦点を合わせようと努力することが要求される。つまり、移動する標識を追っかけながら焦点を合わせなければならない。このため、年齢や訓練時の体調によっては、焦点合わせに苦痛を伴い易く、訓練が煩わしくなる。その結果、前者の視力回復訓練器と同様に、訓練者の全てに均等な視力回復効果を期待するこことが困難で、視力回復効果にバラツキを生じる。しかも、直状ガイドと、図形や模様が設けられた標識を前記直状ガイドに沿って往復させるモータなどの原動機とからなる可動構造の移動手段が必要であるとともに、標識を明視するための照明手段が必要であるため、部品点数が多く、構造が複雑になるなどの難点を有している。
【００１０】
本発明は、このような事情を考慮してなされたもので、静止している視標板の視標に焦点を合わせる安易な訓練によって、バラツクことなく略均等に視力を回復させることができるとともに、可動構造を省略した部品点数の少ない簡素化された構造の視力回復補助器具を提供することを目的としている。
【課題を解決するための手段】
【００１１】
請求項１に記載の発明に係る視力回復補助器具は、複数枚の視標板のそれぞれに、少なくとも一部が互いに重なり合わない視標が設けられているとともに、前記複数枚の視標板が光透過材によって構成されている、ことを特徴としている。
【００１２】
請求項２に記載の発明に係る視力回復補助器具は、光透過材からなる少なくとも１枚の視標板と、光不透過材からなる１枚の視標板とを備え、上記光透過材からなる視標板及び上記光不透過材からなる視標板のそれぞれには、少なくとも一部が互いに重なり合わない視標が設けられている、ことを特徴としている。
【００１３】
請求項３に記載の発明のように、請求項１又は２に記載の発明において、前記視標板に把持部を備えていることが好ましい。
【００１４】
請求項４に記載の発明のように、請求項１又は２に記載の発明において、前記視標板を立設または吊持するための支持具を備えていることが好ましい。
【００１５】
請求項５に記載の発明に係る視力回復補助器具は、光透過材からなる１枚の視標板に視標が設けられ、この視標板に把持部を設けた、ことを特徴としている。
【００１６】
請求項６に記載の発明に係る視力回復補助器具は、光透過材からなる１枚の視標板に視標が設けられ、この視標板を立設または吊持するための支持具を備えていることを特徴としている。
【００１７】
なお、前記「視標」とは、視標板に印刷や塗装あるいは彫刻などによって設けた、視認可能な、「点」、「線」、「文字」、「図形」、「記号」、「絵」、「模様」、「マーク」などをいう。
【００１８】
請求項１に記載の発明によれば、１つの視線上の目から所定距離離れた領域に、光透過材によって構成されている複数枚の視標板を遠近間隔を隔てて位置決めし、これら複数枚の視標板に設けられている視標を前記視線上で順番に焦点を合わせながら視認することで、焦点距離を変化させて、毛様体筋を収縮または弛緩させる作用が得られる。
【００１９】
請求項２に記載の発明によれば、光透過材からなる少なくとも１枚の視標板と、光不透過材からなる１枚の視標板とを備えているので、光不透過材からなる視標板を１つの視線上で目から最も遠い場所に位置させ、この視標板と目との間に光透過材からなる視標板を少なくとも１枚配置して、これら視標板に設けられている視標を略同一の視線上で順番に焦点を合わせながら視認することで、焦点距離を変化させて毛様体筋を収縮または弛緩させる作用が得られるだけでなく、最遠側の視標板の先にある外界が視線に入らないので、各視標板に設けられた視標により容易に焦点を合わせることができる。
【００２０】
請求項３に記載の発明によれば、請求項１又は２に記載の発明の作用に加えて、把持部を把持して、複数枚の視標板を取り扱うことができる。
【００２１】
請求項４に記載の発明によれば、請求項１又は２に記載の発明の作用に加えて、支持具によって視標板を立設または吊持することで、複数枚の視標板を所定の位置に揺動することなく静止させることができる。
【００２２】
請求項５に記載の発明によれば、前記請求項１に記載の発明では、複数枚の視標板を必要としているが、視標板の必要枚数は１枚でよく、この１枚の視標板よりも遠い位置に最遠側視認対象物を設け、前記１枚の視標板の視標と最遠側視認対象物との間で、焦点を交互に合わせながらこれらを視認することで、焦点距離を変化させて、毛様体筋を収縮または弛緩させる作用が得られる。また、把持部を把持して、１枚の視標板を取り扱うことができる。
【００２３】
請求項６に記載の発明によれば、１枚の視標板上の視標と最遠側視認対象物との間で焦点を交互に合わせることで焦点距離を変化させて、毛様体筋を収縮または弛緩させる作用が得られるだけでなく、支持具によって視標板を立設または吊持することで、１枚の視標板を所定の位置に揺動することなく静止させることができる。
【００２４】
なお、前記「最遠側視認対象物」とは、「パソコンのディスプレイ上の文字や図形」、「乳白色発光面や白色紙葉などに表示されている視力検査用のランドルト環」あるいは「カレンダ−に表示されている数字」などをいう。
【発明の効果】
【００２５】
本発明に係る視力回復補助器具は、以下の効果を奏する。
【００２６】
請求項１に記載の発明によれば、視力回復補助器具が互いに重なり合わない視標を設けた複数枚の光透過材によってなる視標板によって構成され、これら視標板を遠近間隔を隔てて立設または吊持して、静止している各視標板の視標に順番に焦点を合わせる安易な訓練によって、視力の回復を図ることができるので、全ての視力回復訓練者にバラツクことなく略均等に視力を回復させることが可能である。しかも、可動構造を省略した部品点数の少ない簡素化された構造の視力回復補助器具を安価に提供することができる。
【００２７】
請求項２に記載の発明によれば、最遠側の視標板の先にある外界によって視界が邪魔されることなく上記訓練を行うことができるので、視力回復訓練者を上記訓練により集中させ易くなる。
【００２８】
請求項３に記載の発明によれば、請求項１又は２に記載の発明の効果に加えて、把持部を把持して視標板を取り扱うことができるので、視標板および視標の汚れを防止して鮮明度を保持し、視標に対する焦点合わせと視認を容易にして、視力回復訓練効果の向上に寄与することができる。
【００２９】
請求項４に記載の発明によれば、請求項１又は２に記載の発明の効果に加えて、支持具によって複数枚の視標板を立設または吊持することで、これら複数枚の視標板を所定の位置に揺動することなく静止させることができるので、視力回復訓練効果を、より一層向上させることができる。
【００３０】
請求項５に記載の発明によれば、１枚の視標板と、この１枚の視標板よりも遠い位置に設けた最遠側視認対象物との間で、焦点を交互に合わせる安易な訓練によって、視力の回復を図ることができるので、全ての視力回復訓練者にバラツクことなく略均等に視力を回復させることが可能であるとともに、把持部を把持して視標板を取り扱えるので、視標板および視標の汚れを防止して鮮明度を保持し、視標に対する焦点合わせと視認を容易にして、視力回復訓練効果の向上に寄与することができる。しかも、可動構造を省略した部品点数の少ない簡素化された構造の視力回復補助器具を安価に提供することができる。
【００３１】
請求項６に記載の発明によれば、１枚の視標板とこの１枚の視標板よりも遠い位置に設けた最遠側視認対象物との間で焦点を交互に合わせるという安易な訓練によって視力の回復を図ることができるだけでなく、支持具によって１枚の視標板を立設または吊持することで、この１枚の視標板を所定の位置に揺動することなく静止させることができるので、視力回復訓練効果を、より一層向上させることができる。
【発明を実施するための最良の形態】
【００３２】
以下、本発明の実施の形態を図面に基づいて説明する。
図１は、本発明の第１実施形態に係る視力回復補助器具の斜視図、図２（Ａ）〜（Ｃ）は視標板の正面図である。これらの図において、視力回復補助器具１は、複数枚（たとえば３枚）の視標板２Ａ，２Ｂ，２Ｃに視標３Ａ，３Ｂ，３Ｃを設けることによって構成されている。各視標板２Ａ，２Ｂ，２Ｃは、厚さが０．５ｍｍ〜２ｍｍのたとえば透明アクリル板などの透明樹脂板（光透過材）によって構成され、一辺が約１５０ｍｍの正方形または１５０ｍｍの長辺と１００ｍｍの短辺を備えた長方形のもので、略同一の大きさを有している。視標３Ａは、図２（Ａ）に示すように、その中心Ｏ１を視標板２Ａの中心部に設定して印刷によって設けた黒色の真円によって構成され、視標３Ｂは、図２（Ｂ）に示すように、その中心Ｏ２を視標板２Ｂの中心部に設定して印刷によって設けた黒色の真円によって構成されており、視標３Ｃは、図２（Ｃ）に示すように、その中心Ｏ３を視標板２Ｃの中心部に設定して印刷によって設けた黒色の真円によって構成されている。そして、これら視標３Ａ，３Ｂ，３Ｃの半径Ｒ１，Ｒ２，Ｒ３の関係をＲ１＜Ｒ２＜Ｒ３に設定することで、視標３Ａ，３Ｂ，３Ｃそれぞれの中心Ｏ１，Ｏ２，Ｏ３を同心にした場合、同一投影面（たとえば、投影立面）上で互いに重なり合わないようにしてある。
【００３３】
前記構成の視力回復補助器具１は、図１に示す支持具４で視標板２Ａ，２Ｂ，２Ｃを支持して使用される。支持具４は、幅方向にのびる支持溝４Ａ１〜４Ａｎを、長手方向（遠近方向）に所定の間隔を隔てて複数個上向きに凹設した構造のもので、たとえば机面に定置させ、複数個の支持溝４Ａ１〜４Ａｎの中から３つの支持溝４Ａ１，４Ａ１７，４Ａｎを選択し、これら３つの支持溝４Ａ１，４Ａ１７，４Ａｎに視標板２Ａ，２Ｂ，２Ｃの下端部を着脱可能にはめ込んで、３枚の視標板２Ａ，２Ｂ，２Ｃを、遠近間隔Ｌ１，Ｌ２を隔てて垂直姿勢で立設させるとともに、視標３Ａ，３Ｂ，３Ｃそれぞれの中心Ｏ１，Ｏ２，Ｏ３を視線Ｃ１上に揃えて、これらを視線Ｃ１上で同心に対向させる。なお、前記遠近間隔Ｌ１とＬ２は、互いに等しくてもまた等しくなくてもよい。つまり、視標板２Ａ，２Ｂ，２Ｃを立設する間隔は、等間隔であっても、等間隔でなくてもよい。また、支持具４によって３枚の視標板２Ａ，２Ｂ，２Ｃを垂直姿勢で立設支持することにより、これら視標板２Ａ，２Ｂ，２Ｃを所定の位置に揺動することなく静止させて、視力回復訓練効果の向上に寄与することができる。
【００３４】
視力回復訓練者は、視線Ｃ１上で目Ｅに最も近い位置の視標板２Ａの視標３Ａに焦点を合わせて視認したのち、真中の視標板２Ｂの視標３Ｂに焦点を合わせて視認し、さらに、視線Ｃ１上で目Ｅから最も遠い位置の視標板２Ｃの視標３Ｃに焦点を合わせて視認する状態、すなわち、焦点距離を変化させて視認する状態を反復することで、毛様体筋を収縮または弛緩させて、詳しくは、毛様体筋の緊張によりチン氏体を緩めて水晶体を厚くし、または毛様体筋の弛緩によりチン氏体を引っ張って水晶体を薄くすることで、視力の回復を図ることができる。なお、視標板２Ａ，２Ｂ，２Ｃの視標３Ａ，３Ｂ，３Ｃに焦点を合わせて視認する時間は、１〜２秒程度で十分である。このように、静止している視標板２Ａ，２Ｂ，２Ｃの視標３Ａ，３Ｂ，３Ｃに焦点を合わせる安易な訓練によって、視力の回復を図ることができるので、全ての視力回復訓練者にバラツクことなく略均等に視力を回復させることが可能である。しかも、可動構造を省略した部品点数の少ない簡素化された構造の視力回復補助器具を安価に提供することができる。
【００３５】
図３に示すように、机面上でパソコン（ノートパソコン）５の手前に支持具４を配置し、３枚の視標板２Ａ，２Ｂ，２Ｃに設けられている視標３Ａ，３Ｂ，３Ｃ（図１参照）を視線Ｃ１上で順番に焦点を合わせて視認したのちに、視線Ｃ１上に在るパソコン５のディスプレイ５Ａ上の文字や図形など（不図示）を最遠側視認対象物として機能させ、この最遠側視認対象物にも焦点を合わせてこれを視認することによって、パソコン５操作を中断してオペレータの視力回復を強力に推進させることができるので、オペレータの視力回復手段としてきわめて好適である。なお、最遠側視認対象物であるパソコン５のディスプレイ５Ａ上の文字や図形などと、各視標板２Ａ，２Ｂ，２Ｃに設けられている視標３Ａ，３Ｂ，３Ｃとは、少なくとも一部が互いに重なり合わないようにしておく。
【００３６】
図４（Ａ），図４（Ｂ）に示すように、光透過材によってなる視標板２Ａ，２Ｂ，２Ｃに把持部１１を設けることで、この把持部１１を把持して視標板２Ａ，２Ｂ，２Ｃを取り扱うことができるので、視標板２Ａ，２Ｂ，２Ｃおよび視標３Ａ，３Ｂ，３Ｃの汚れを防止して鮮明度を保持し、視標３Ａ，３Ｂ，３Ｃに対する焦点合わせと視認を容易にして、視力回復訓練効果の向上に寄与することができる。なお、図４（Ａ）の把持部１１は、視標板２Ａ，２Ｂ，２Ｃの周縁部における表裏両面に接着などによって設けられ、図４（Ｂ）の把持部１１は、視標板２Ａ，２Ｂ，２Ｃの１つの角部における表裏両面に接着などによって設けられる。但し、把持部１１は、接着によって視標板に設ける場合に限られず、着色した部位や印刷した部位を把持部としてもよい。
【００３７】
前記支持具４は、前記実施形態で説明した幅方向にのびる支持溝４Ａ１〜４Ａｎを、長手方向（遠近方向）に所定の間隔を隔てて複数個上向きに凹設した構造のものに代えて、図５に示すように、水平かつ平行に配置した一対の吊持バー９を有する吊持構造のものであってもよい。このような吊持構造の支持具４では、光透過材によってなる視標板２Ａ，２Ｂ，２Ｃ，２Ｄ，２Ｅそれぞれの上辺における両端部の２箇所に吊り環８を設け、前記一対の吊持バー９を吊り環８に挿通し、視標板２Ａ，２Ｂ，２Ｃ，２Ｄ，２Ｅを、所定の遠近間隔を有して一対の吊持バー９で吊持し、この支持状態で視標板２Ａ，２Ｂ，２Ｃ，２Ｄ，２Ｅに設けられている視標３Ａ，３Ｂ，３Ｃ，３Ｄ，３Ｅに順番に焦点を合わせて視認すればよい。
【００３８】
さらに、前記支持具４は、図６に示すように、視標３Ａ，３Ｂ，３Ｃ，３Ｄを設けた光透過材によって構成されている４枚の真円形の視標板２Ａ，２Ｂ，２Ｃ，２Ｄを、所定の遠近間隔を有して円筒ケース６に取付けた単眼構造のもの、あるいは、図７に示すように、視標３Ａ，３Ｂ，３Ｃを設けた光透過材によって構成されているたとえば３枚の略まゆ形の視標板２Ａ，２Ｂ，２Ｃを、所定の遠近間隔を有してまゆ形ケース７に取付けた双眼構造のものであってもよい。
【００３９】
前記最遠側視認対象物は、図３で説明した視線Ｃ１上に在るパソコン５のディスプレイ５Ａ上の文字や図形などのみに限定されるものではなく、図８および図９に示すように、光源１０Ａと反射板１０Ｂを内蔵し、光透過材によってなる３枚の視標板２Ａ，２Ｂ，２Ｃに対向する乳白色のアクリル板１０Ｃを備え、このアクリル板１０Ｃに視標３Ｄを設けた発光手段１０であってもよい。また、乳白色発光面や白色紙葉などに表示されている視力検査用のランドルト環やカレンダ−に表示されている数字などであってもよい。さらに、白色アクリル板などの不透明樹脂板（光不透過材）によってなり、適当な文字や図形などの視標を設けた視標板であってもよい。最遠側視認対象物が白色アクリル板などの光不透過材からなる視標板である場合には、その視標板は、光沢があり、光を反射する性質のものが好ましい。反射光によって各視標板の視標を視認し易いためである。
【００４０】
最遠側視認対象物が白色アクリル板などの光不透過材からなる視標板である場合には、この光不透過材からなる１枚の視標板と、光透過材からなる少なくとも１枚の視標板とで視力回復補助器具を構成し、上記光不透過材からなる視標板及び上記光透過材からなる視標板のそれぞれに、少なくとも一部が互いに重なり合わない視標を設けるようにしてもよい。この場合には、光透過材からなる視標板を少なくとも１枚備えていればよい。また、光透過材からなる視標板と同様、光不透過材からなる視標板に把持部を設けて手で持ち易くするようにしてもよく、さらに、光不透過材からなる視標板を立設又は吊持するための支持具を設けてもよい。
【００４１】
図１０に示すように、厚さ約１ｍｍ、１５０ｍｍの長辺と１００ｍｍの短辺を備えた長方形の透明アクリル板（光透過材）によってなる２枚の視標板２Ａ、２Ｂを用意し、視標板２Ａには「１，２，３」の黒色の数字を視標３Ａとして印刷によって設け、視標板２Ｂには「１，２，３」の視標３Ａに重ならないように「Ａ，Ｂ，Ｃ，Ｄ」の黒色の欧文字を視標３Ｂとして印刷によって設け、これら視標板２Ａ、２Ｂを支持具４に３０ｃｍの間隔Ｌを隔てて立設し、この支持具４を視力回復訓練者（仮性近視の男性３７才）が把持して、視力回復訓練者の目（裸眼）Ｅと視標板２Ａとの距離を１０〜２０ｃｍの範囲に設定するとともに、目（裸眼）Ｅによってディスプレイ５Ａ上の文字を視認し得る最大距離約６０ｃｍの位置にノートパソコン５を設置し、この状態で、ディスプレイ５Ａ上の文字に焦点を合わせて約１〜２秒視認し、つぎに視標板２Ａの数字「１，２，３」に焦点を合わせて約１〜２秒視認し、さらに視標３Ａの欧文字「Ａ，Ｂ，Ｃ，Ｄ」に焦点を合わせて約１〜２秒視認する訓練を１０分間反復する。そして、この訓練を連日、１日１回行った。その訓練結果を図１１に示す。図１１で明らかなように、右目および左目とも短期間で急速に視力を回復したことがわかる。
【００４２】
つぎに、本発明の第２実施形態について説明する。
図１２は本発明の第２実施形態に係る視力回復補助器具の斜視図である。この図において、視力回復補助器具１は、１枚の視標板２に視標３を設けることによって構成されている。視標板２は、前記第１実施形態と同じ厚さおよび大きさを有する透明アクリル板などの透明樹脂板（光透過材）によってなり、その中心部に真円によってなる黒色の視標３が印刷によって設けられているとともに、その周縁部には図４（Ａ）の実施形態と同じ把持部１１を設けてある。
【００４３】
前記構成の視力回復補助器具１は、図１３に示すように、支持具４で支持して使用される。支持具４は図１の実施形態と同じ構造のもので、幅方向にのびる支持溝４Ａ１〜４Ａｎを、長手方向（遠近方向）に所定の間隔を隔てて複数個上向きに凹設してある。そして、複数個の支持溝４Ａ１〜４Ａｎの中から１つの支持溝４Ａ１６を選択し、この支持溝４Ａ１６に視標板２の下端部を着脱可能にはめ込んで垂直姿勢で立設させた状態で、机面上でパソコン５の手前に支持具４を配置して使用する。すなわち、１枚の視標板２に設けられている視標３に視線Ｃ１上で焦点を合わせて視認したのちに、視線Ｃ１上に在るパソコン５のディスプレイ５Ａ上の文字や図形など（不図示）を最遠側視認対象物として機能させ、この最遠側視認対象物にも焦点を合わせてこれを視認する状態を反復することで、毛様体筋を収縮または弛緩させ、パソコン５操作を中断してオペレータの視力回復を強力に推進させることができるので、オペレータの視力回復手段としてきわめて好適である。
【００４４】
このように、第２実施形態の視力回復補助器具では、視標板２の必要枚数は１枚でよく、この１枚の視標板２よりも遠い位置に最遠側視認対象物としてのパソコン５を設け、１枚の視標板２の視標３とパソコン５のディスプレイ５Ａ上の文字や図形などとの間で、焦点を交互に合わせながらこれらを視認することで、焦点距離を変化させて、毛様体筋を収縮または弛緩させて、視力の回復を図ることができる。
【００４５】
また、把持部１１を把持して視標板２を取り扱うことができるので、視標板２および視標３の汚れを防止して鮮明度を保持し、視標３に対する焦点合わせと視認を容易にして、視力回復訓練効果の向上に寄与することができるとともに、支持具４によって視標板２を垂直姿勢で立設支持することにより、視標板２を所定の位置に揺動することなく静止させて、視力回復訓練効果の向上に寄与することができる。なお、支持具４は、図５に示すように、水平かつ平行に配置した一対の吊持バー９を有する吊持構造のものであってもよい。
【００４６】
なお、前記各実施形態では、正方形や長方形のような四角形の視標板２、２Ａ，２Ｂ・・・を使用して説明しているが、視標板２、２Ａ，２Ｂ・・・の形状は四角形のみに限定されるものではなく、三角形や六角形などの角形、あるいは円形や楕円形などの丸形であってもよい。また、第１実施形態に係る視力回復補助器具において使用される光透過材からなる視標板２Ａ，２Ｂ・・・の数量は、前記実施形態のように３枚、４枚、５枚のみに限定されるものではなく、２枚あるいは６枚以上であってもよい。前述のとおり、光不透過材からなる視標板と、光透過材からなる視標板とで視力回復補助器具を構成する場合には、光透過材からなる視標板は少なくとも１枚あればよい。また、視力回復訓練時に複数枚の視標板２Ａ，２Ｂ・・・に焦点を合わせて視認する順序は、前記実施形態で説明した順序のみに限定されるものではなく任意である。さらに、前記実施形態において説明した把持部に代えて、図１４に示すような「トッテ状」の把持部１１を設け、この把持部１１を視力回復訓練者が手で持ち、したがって、支持具４を省略した状態で視力回復訓練を行ってもよい。また、各視標は、相互に完全に重なり合わないようにされている必要はなく、少なくとも一部が重なり合わないようにされていればよい。例えば、各視標板に、少なくとも形態・サイズ・方向・角度等のいずれか１つにおいて互いに異なる視標を設けたものでもよい。さらに、本発明の視力回復補助器具が複数枚の視標板から構成される場合は、各視標板の形状や大きさを略同一にそろえておくことが製造面あるいはデザイン面で好ましい。
【図面の簡単な説明】
【００４７】
【図１】第１実施形態に係る視力回復補助器具の斜視図である。
【図２】図２（Ａ）〜図２（Ｃ）は、第１実施形態で使用される視標板の一例を示す正面図である。
【図３】第１実施形態の使用態様の変形例を示す側面図である。
【図４】図４（Ａ）、図４（Ｂ）は把持部を備えた視標板の変形例を示す正面図である。
【図５】支持具の第１変形例を示す斜視図である。
【図６】支持具の第２変形例を示す斜視図である。
【図７】支持具の第３変形例を示す斜視図である。
【図８】最遠側視認対象物の変形例を示す斜視図である。
【図９】図８の縦断側面図である。
【図１０】視力回復訓練の一例を示す斜視図である。
【図１１】図１０の視力回復訓練結果を示す図表である。
【図１２】第２実施形態に係る視力回復補助器具を構成する視標板の斜視図である。
【図１３】第２実施形態に係る視力回復補助器具の使用状態を示す図である。
【図１４】把持部の変形例を示す斜視図である。
【符号の説明】
【００４８】
１  視力回復補助器具
２  視標板
２Ａ〜２Ｅ  視標板
３  視標
３Ａ〜３Ｅ  視標
４  支持具
１１  把持部
【図１】
2005081055.tif 000003
【図２】
2005081055.tif 000004
【図３】
2005081055.tif 000005
【図４】
2005081055.tif 000006
【図５】
2005081055.tif 000007
【図６】
2005081055.tif 000008
【図７】
2005081055.tif 000009
【図８】
2005081055.tif 000010
【図９】
2005081055.tif 000011
【図１０】
2005081055.tif 000012
【図１１】
2005081055.tif 000013
【図１２】
2005081055.tif 000014
【図１３】
2005081055.tif 000015
【図１４】
2005081055.tif 000016